(57)【要約】【課題】一般家庭で畑地を確保できなくても、ベランダ等の狭い場所でも自然薯の栽培をすることができる自然薯用栽培容器を提供する。【解決手段】本考案の自然薯用栽培容器１０は、縦長の角柱状に形成された筒体１１内に充填された土中に自然薯の種芋Ｐ１を植え込み、種芋Ｐ１を育成して自然薯Ｐを栽培する栽培容器であって、筒体１１の前面に開口部１１Ａを設けると共に開口部１１Ａを開閉用の蓋体１２で被覆し、且つ、筒体１１の下部に複数の排水孔１１Ｂを設けたものである。【選択図】図３
0003120362.tif 000002
【実用新案登録請求の範囲】
【請求項１】
縦長の矩形状に形成された筒体内に充填された土中に自然薯の種芋を植え込み、上記種芋を育成して自然薯を栽培する栽培容器であって、上記筒体の前面に開口部を設けると共に上記開口部を開閉用の蓋体で被覆し、且つ、上記筒体の上記開口部以外の下部に排水孔を設けたことを特徴とする自然薯用栽培容器。
【請求項２】
上記筒体の側面に他の筒体と連結するための連結孔を設けたことを特徴とする請求項１に記載の自然薯用栽培容器。
【考案の詳細な説明】
【技術分野】
【０００１】
本考案は、家庭等においてベランダ等の狭い場所でも自然薯を簡単に栽培することができる自然薯用栽培容器に関するものである。
【背景技術】
【０００２】
自然薯は、山野に自生するヤマノイモ科の多年草で、とろろ芋として食用に供されている。自然薯は栄養分に富み、健康に良いとして重宝されている。このため、近年、自然薯の消費が増え、種々の栽培法が開発されている。また、一般家庭でも家庭菜園等で栽培するために種々の栽培法及び栽培用容器が開発されている。
【０００３】
栽培用容器としては、例えば雨樋状の樋が販売されている。樋を用いる栽培法（以下、「樋式栽培法」と称す。）では自然薯を樋に沿って成長させて自然薯を栽培する。
【０００４】
樋式栽培法では以下のようにして自然薯を栽培する。まず自然薯の成長後の長さに見合った大きさの樋を作製する。次いで、栽培用の畑地に樋を埋設するために、畑地に所定の長さ、所定の幅及び所定の深さで溝を掘る。溝は、樋を深さ方向に多少傾斜して埋設できる深さに掘り込まれている。そして、この溝内に樋を傾斜させて設置し、溝を土で埋め戻す。更に、樋の高い方の端部近傍のやや上方に自然薯の種芋を植えて、柔らかい土を種芋に被せた後、溝全体に土を盛って畝を形成する。その後、所定の養生を施して、適宜の間隔で水や肥料を施し、また除草等を行って収穫期を待つ。収穫期には畝を掘り返して自然薯を収穫する。
【考案の開示】
【考案が解決しようとする課題】
【０００５】
しかしながら、栽培用容器として樋を用いる樋式栽培法の場合には、栽培用の畑地を相応の広さで確保する必要があり、畑地を確保しても畑地に溝を掘り起こし、その溝内に樋を埋設する等の作業が必要であるため、栽培用の畑地を確保できない一般家庭の場合には自然薯を栽培することが難しく、また、畑地を確保できたとても樋を購入し、栽培容器として加工し、更に樋を埋設するために溝を掘り起こし、畝を作る等の作業が必要であり、思ったほど簡単に自然薯を栽培することができないという課題があった。
【０００６】
本考案は、上記課題を解決するためになされたもので、畑地を確保できなくても、一般家庭のベランダ等の狭い場所でも自然薯を手軽に栽培することができる自然薯用栽培容器を提供することを目的としている。
【課題を解決するための手段】
【０００７】
本考案者は、栽培用容器として塩化ビニール製等のパイプ等の容器だけで自然薯を栽培できないか、種々検討した結果、パイプ等の容器だけで自然薯を栽培できても、容器から自然薯を取り出すことができず、パイプ等の容器は自然薯栽培用の容器として適当でないことが判った。そこで、パイプ以外の容器を種々工夫した結果、開閉蓋付きの容器であれば自然薯を簡単に取り出せることを知見した。
【０００８】
本考案は、上記知見に基づいてなされたもので、本考案の請求項１に記載の自然薯用栽培容器は、縦長の矩形状に形成された筒体内に充填された土中に自然薯の種芋を植え込み、上記種芋を育成して自然薯を栽培する栽培容器であって、上記筒体の前面に開口部を設けると共に上記開口部を開閉用の蓋体で被覆し、且つ、上記筒体の上記開口部以外の下部に排水孔を設けたことを特徴とするものである。
【０００９】
本考案の請求項２に記載の自然薯用栽培容器は、請求項１に記載の考案において、上記筒体の側面に他の筒体と連結するための連結孔を設けたことを特徴とするものである。
【考案の効果】
【００１０】
本考案によれば、畑地を確保できなくても、一般家庭のベランダ等の狭い場所でも自然薯を手軽に栽培することができる自然薯用栽培容器を提供することができる。
【考案を実施するための最良の形態】
【００１１】
以下、図１〜図３に示す実施形態に基づいて本考案の自然薯用栽培容器について説明する。尚、各図において、図１の（ａ）、（ｂ）はそれぞれ本考案の自然薯用栽培容器の一実施形態を示す図で、（ａ）はその斜視図、（ｂ）はその平面図、図２の（ａ）、（ｂ）はそれぞれ図１に示す自然薯用栽培容器を示す図で、（ａ）はその側面図、（ｂ）はその背面図、図３の（ａ）、（ｂ）はそれぞれ図１に示す自然薯用栽培容器を用いて自然薯を栽培する状態を示す図で、（ａ）は種芋を植えた状態を示す正面図、（ｂ）は種芋が生長して自然薯になった状態を示す正面図である。
【００１２】
本実施形態の自然薯用栽培容器１０は、図１の（ａ）、（ｂ）に示すように、全体として縦長の矩形状に形成された底面を有する四角状の筒体１１と、筒体１１の前面に形成された開口部１１Ａと、開口部１１Ａを筒体１１の内側から被う開閉用の蓋体１２と、を備え、筒体１１内に充填された土中に自然薯の種芋を植え込み、種芋を育成して自然薯を栽培するように構成されている。
【００１３】
筒体１１の開口部１１Ａの上下の縁には、例えば側面形状がコ字状の枠（図示せず）を施して、前面を機械的に補強しても良い。筒体１１の高さは、自然薯の成長後の長さに見合った高さに形成されている。自然薯は、通常１ｍ数１０ｃｍの長さがあるため、筒体１１は、自然薯の丈よりも高くなるように形成されている。
【００１４】
筒体１１の背面の下部には、例えば図１の（ａ）及び図２の（ａ）に示すように複数の排水孔１１Ｂが上下二列に形成され、排水孔１１Ｂから排水して土中を適度の水分に保持する。排水孔１１Ｂは、必要に応じて適宜の数だけ設けることができる。また、筒体１１の両側面及び背面の上下部には、例えば図１の（ａ）及び図２の（ａ）、（ｂ）に示すようにそれぞれ所定の間隔を空けて連結孔１１Ｃが二個ずつ形成され、これらの連結孔１１Ｃを介して他の栽培用容器の筒体を連結するようにしてある。従って、必要に応じて自然薯用栽培容器１０を複数連結することができる。
【００１５】
複数の筒体１１は互いに接触させて並べて設置するだけでも良い。この場合には連結孔１１Ｃはなくても良いが、図１、図２に示すように筒体１１に連結孔１１Ｃを設けて複数の筒体１１を連結孔１１Ｃによって連結することで、複数の自然薯用栽培容器１０を安定した状態で設置することができる。尚、自然薯用栽培容器１０を単独で使用する場合、あるいは複数の自然薯用栽培容器１０を単に並べて使用する場合には、下部の連結孔１１Ｃは排水孔として利用することができる。
【００１６】
また、蓋体１２は、筒体１１の内側に当接して開口部１１Ａを覆うように形成されている。この蓋体１２は、不透明板、透明板のいずれによっても形成することができる。蓋体１２を透明板で形成することにより、土の乾燥具合や自然薯の毛根の張り具合を確認することができる。また、必要に応じて蓋体１１を筒体１１から引き上げ、下部の土を掻き取って自然薯の成長具合を確認することもできる。また、必要に応じて筒体１１前面の内面側に蓋体１１の左右両端部がそれぞれ嵌るガイド溝を設け、ガイド溝に沿って蓋体１２を開閉するようにしても良い。
【００１７】
次に、本実施形態の自然薯用栽培容器１０を用いて自然薯を栽培する場合について概説する。
【００１８】
まず、自然薯用栽培容器１０を一般家庭のベランダ等の場所に筒体１１を設置した後、蓋体１２で筒体１１の開口部１１Ａを被覆する。次いで、所定の土質の土を筒体１１内に充填した後、図３の（ａ）に示すように自然薯の種芋Ｐ１を筒体１１の土中の上部に植え込む。種芋Ｐ１を植える時期は例えば３月頃である。種芋Ｐ１を植えた後、適宜の間隔で水と肥料を種芋Ｐ１に施し、また、除草等を行って種芋Ｐ１を育成する。その途中で、自然薯Ｐの様子を観たい場合には、蓋体１２を筒体１１から引き上げて、下部の土を掻き取ることで自然薯Ｐの様子を観ることができる。
【００１９】
種芋Ｐ１が成長し収穫時期（１０月頃）になると、同図の（ｂ）に示すように自然薯Ｐとして成長している。収穫期には蓋体１２を筒体１１から引き出して土を筒体１１１内から掻き出すことによって自然薯Ｐを簡単に傷つけることなく収穫することができる。また、筒体１１内では自然薯Ｐは下方に伸び、自然薯Ｐには適度の圧力が作用するため、品質の良い、つまり粘りのある自然薯Ｐを収穫することができる。
【００２０】
また、ベランダ等にスペース的に余裕があれば、自然薯用栽培容器１０を複数設置すれば、複数本の自然薯Ｐを収穫することができる。この際、複数の自然薯用栽培容器１０をそれぞれの連結孔１１Ｃによって連結することにより、複数の自然薯用栽培容器１０を安定的に設置することができる。
【００２１】
以上説明したように本実施形態によれば、自然薯用栽培容器１０は、縦長の角柱状に形成された筒体１１内に充填された土中に自然薯の種芋Ｐ１を植え込み、種芋Ｐ１を育成して自然薯Ｐを栽培する栽培容器であって、筒体１１の前面に開口部１１Ａを設けると共に開口部１１Ａを開閉用の蓋体１２で被覆し、且つ、筒体１１の下部に複数の排水孔１１Ｂを設けた縦置き型の容器であるため、一般家庭で畑地を確保できなくても、場所をとることがなく、一般家庭のベランダ等の狭い場所でも自然薯を手軽に栽培することができる。また、蓋体１２を透明板で形成することにより、自然薯Ｐの栽培途中で自然薯Ｐの様子を観察することができ、自然薯用栽培容器１０を理科の教材用としても使用することができる。
【００２２】
また、本実施形態によれば、筒体１１の側面に他の筒体１１するための連結孔１１Ｃを設けたため、複数の自然薯用栽培容器１０を安定した状態で設置することができ、複数本の自然薯Ｐを同時に栽培することができる。
【００２３】
尚、本考案は、上記実施形態に何等制限されるものではなく、必要に応じて適宜設計変更することができる。例えば、上記実施形態では、底面を有する筒体１１を例に挙げて説明したが、底面のない筒体であっても良い。底面のない筒体であれば、庭の土の上に筒体を直接設置することができる。また、排水孔を必要に応じて筒体に複数列設けることができる。
【産業上の利用可能性】
【００２４】
本考案は、一般家庭で自然薯を栽培する容器として好適に利用することができる。
【図面の簡単な説明】
【００２５】
【図１】（ａ）、（ｂ）はそれぞれ本考案の自然薯用栽培容器の一実施形態を示す図で、（ａ）はその斜視図、（ｂ）はその平面図である。
【図２】（ａ）、（ｂ）はそれぞれ図１に示す自然薯用栽培容器を示す図で、（ａ）はその側面図、（ｂ）はその背面図である。
【図３】（ａ）、（ｂ）はそれぞれ図１に示す自然薯用栽培容器を用いて自然薯を栽培する状態を示す図で、（ａ）は種芋を植えた状態を示す正面図、（ｂ）は種芋が生長して自然薯になった状態を示す正面図である。
【符号の説明】
【００２６】
１０    自然薯用栽培容器
１１    筒体
１１Ａ  開口部
１１Ｂ  排水孔
１１Ｃ  連結孔
１２    蓋体
【図１】
0003120362.tif 000003
【図２】
0003120362.tif 000004
【図３】
0003120362.tif 000005